(57)【要約】  衣服、特に医療機関で役立つ衣服であって、着用者と特定の汚染物質との間の許容可能なバリア並びに容易な脱衣を提供し、首用開口、２つの袖、体前面部分および体後面部分を含む体部分、１つ以上のパネル、および／または１つ以上の脱衣特徴を有するガウンを含む。
2021523308.tif 000002
【特許請求の範囲】
【請求項１】
衣服を作製するための方法であって、
（ａ）首用開口を含む第１のコンポーネントであって、前記首用開口から前記第１のコンポーネントの第１のエッジまで延びるスリットを含む第１のコンポーネントを提供することと、前記首用開口を二分する線に沿って前記第１のコンポーネントを折ることと、によって、衣服の体前面部分を形成することと、
（ｂ）第１のシールを介して第２のコンポーネントを前記第１のコンポーネントに取り付けることと、第２のシールを介して第３のコンポーネントを前記第１のコンポーネントに取り付けることと、によって、前記衣服の体後面部分を形成することと、を含み、
前記第１のシールおよび前記第２のシールは前記第１のコンポーネントの前記第１のエッジから少なくとも第１の距離だけ離間して設けられる、方法。
【請求項２】
プレクローズド構成の、前記スリットの少なくとも一部分を提供することを更に含む、請求項１に記載の方法。
【請求項３】
前記スリットの前記部分は、第３のシールを介して前記プレクローズド構成で提供される、請求項１または２に記載の方法。
【請求項４】
前記スリットの前記部分は１つ以上のファスナを介して前記プレクローズド構成で提供される、請求項１または２に記載の方法。
【請求項５】
前記スリットは、ノッチを提供するために、前記首用開口から前記プレクローズド部分の第１の端部まで延びる開口部分を更に含む、請求項１〜４のいずれか一項に記載の方法。
【請求項６】
前記ノッチは約２インチ以下の長さである、請求項１〜５のいずれか一項に記載の方法。
【請求項７】
前記第２のコンポーネントおよび／または前記第３のコンポーネントは前記プレクローズド部分の全てに実質的に重なる、請求項１〜６のいずれか一項に記載の方法。
【請求項８】
前記第２のコンポーネントは矩形形状を含み、前記第３のコンポーネントは台形形状を含む、請求項１〜６のいずれか１項に記載の方法。
【請求項９】
前記第３のコンポーネントは、クロージングデバイスの第１の部分を含み、前記クロージングデバイスの前記第１の部分を含む前記第３のコンポーネントの一部分は、前記第２のコンポーネントの少なくとも一部分と重なる、請求項１〜８のいずれか一項に記載の方法。
【請求項１０】
前記第３のコンポーネントは、前記クロージングデバイスの第２の部分を更に含む、請求項１〜９のいずれか一項に記載の方法。
【請求項１１】
前記クロージングデバイスはベルトを含み、前記クロージングデバイスの前記第１の部分および前記クロージングデバイスの前記第２の部分の内の少なくとも１つはスリットを含む、請求項１〜１０のいずれか一項に記載の方法。
【請求項１２】
前記衣服は許容可能なバリア機能を提供し、許容可能なバリア機能は、ＡＡＭＩレベル１の保護である、請求項１〜２および請求項４〜１１のいずれか一項に記載の方法。
【請求項１３】
前記衣服は許容可能なバリア機能を提供し、許容可能なバリア機能は、ＡＡＭＩレベル４の保護である、請求項１〜３および５〜１１のいずれか一項に記載の方法。
【請求項１４】
前記第１のシールおよび前記第２のシールは、ヒートシール、超音波溶接、ＲＦ溶接技術、接着剤、またはこれらの組み合わせを使用して提供される、請求項１〜１３のいずれか一項に記載の方法。
【請求項１５】
第１のコンポーネントの第１の部分を含む体前面部分と、
前記第１のコンポーネントの第２の部分と、第２のコンポーネントと、第３のコンポーネントとを含む体後面部分と、
前記第１のコンポーネントの第３の部分を含む第１の袖と、
前記第１のコンポーネントの第４の部分を含む第２の袖と、
前記第１のコンポーネントに設けられる首用開口と、
前記首用開口から前記第１のコンポーネントの第１のエッジまで延びるスリットと、を含む衣服であって、
前記第２のコンポーネントは第１のシールを介して前記第１のコンポーネントに取り付けられ、前記第３のコンポーネントは第２のシールを介して前記第１のコンポーネントに取り付けられる、衣服。
【請求項１６】
前記スリットの少なくとも一部分がプレクローズド構成で提供される、請求項１５に記載の衣服。
【請求項１７】
前記スリットの前記部分はシールを介して前記プレクローズド構成で提供される、請求項１５または１６に記載の衣服。
【請求項１８】
前記スリットの前記部分は、１つ以上のファスナを介して前記プレクローズド構成で提供される、請求項１５または１６に記載の衣服。
【請求項１９】
前記衣服は、許容可能なバリア機能を提供し、許容可能なバリア機能は、ＡＡＭＩレベル１の保護である、請求項１５〜１６および１８のいずれか一項に記載の衣服。
【請求項２０】
前記衣服は、許容可能なバリア機能を提供し、許容可能なバリア機能は、ＡＡＭＩレベル４の保護である、請求項１５〜１７のいずれか一項に記載の衣服。
【発明の詳細な説明】
【技術分野】
【０００１】
関連出願の相互参照
本出願は、２０１８年５月１４日に出願された米国仮出願第６２／６７１２４１号の優先権を主張し、その開示は参照により本明細書に明示的に組み入れられる。
技術分野
本開示は、医療機関において役立つ衣服に関する。
【背景技術】
【０００２】
ガウンは、ガウンの着用者を潜在的に有害な環境汚染物質から保護するために、多くの医療機関において特に重要である。このようなガウンの一つの重要な特徴は、ガウンのバリア機能、あるいは着用者と環境汚染物質との間にバリアを提供する能力である。他の重要な特徴は、必要なときに、効率的にガウンを着用者に着せたり着用者から取り外す能力、すなわちガウンの容易な着衣および／または脱衣能力である。当技術分野において現在公知のガウンの内のいくつかは、ガウンの容易な着脱／脱衣を容易にする特徴を備えている。しかしながら、これらの特徴は、例えば、環境汚染物質の許容できないレベルの侵入を許容することで、ガウンのバリア機能がしばしば損なう。したがって、当該技術分野において、許容可能なバリア機能と、容易な着衣および／または脱衣の両方を必要なときに提供でき、且つ、医療機関で役立つ衣服への需要がある。
【発明の概要】
【０００３】
開示の簡単な説明
本開示は、衣服、特に、病院、診療所、医療施設、または同様の環境などの医療機関において役立つ衣服に関する。いくつかの態様において、衣服はガウン、特に着用者と特定の汚染物質との間に許容可能なバリアを提供するガウンを含む。いくつかの態様において、衣服は、許容可能なバリア機能を依然提供しつつ、容易な着衣及び／または脱衣を提供するように構成されてもよい。本開示はまた、本明細書に記載されているような衣服の製造方法および使用方法に関する。
【図面の簡単な説明】
【０００４】
【図１】図１は、本開示の態様による衣服の例示的な正面図を示す。
【０００５】
【図２Ａ】図２Ａは、本開示の態様による衣服の例示的な背面図を示す。
【０００６】
【図２Ｂ】図２Ｂは、本開示の態様による衣服の例示的な正面図を示す。
【０００７】
【図３Ａ】図３Ａは、本開示の態様による衣服をアセンブルするための例示的な概念図を示す。
【０００８】
【図３Ｂ】図３Ｂは、本開示の態様による衣服をアセンブルするための例示的な概念図を示す。
【０００９】
【図４】図４は、本開示の態様によるアセンブルされた衣服の例示的な背面図を示す。
【００１０】
【図５】図５は、本開示の態様により、着用者により着用された場合の、図４に示す衣服の例示的な背面図を示す。
【００１１】
【図６Ａ】図６Ａは、本開示の態様による衣服の例示的な背面図を示す。
【００１２】
【図６Ｂ】図６Ｂは、本開示の態様による衣服の例示的な正面図を示す。
【００１３】
【図７Ａ】図７Ａは、本開示の態様による衣服をアセンブルするための例示的な概念図を示す。
【００１４】
【図７Ｂ】図７Ｂは、本開示の態様による衣服をアセンブルするための例示的な概念図を示す。
【００１５】
【図８】図８は、本開示の態様によるアセンブルされた衣服の例示的な背面図を示す。
【００１６】
【図９】図９は、本開示の態様により、着用者により着用された場合の、図８に示す衣服の例示的な背面図を示す。
【００１７】
【図１０】図１０は、本開示の態様による衣服をアセンブルするための例示的な概念図を示す。
【００１８】
【図１１】図１１は、本開示の態様による衣服をアセンブルするための例示的な概念図を示す。
【００１９】
【図１２Ａ】図１２Ａは、本開示の態様による衣服をアセンブルするための例示的な概念図を示す。
【００２０】
【図１２Ｂ】図１２Ｂは、本開示の態様による衣服をアセンブルするための例示的な概念図を示す。
【００２１】
【図１３】図１３〜５６は、本開示の態様による衣服の追加の図および特徴を示す。
【００２２】
【図１４】図１３〜５６は、本開示の態様による衣服の追加の図および特徴を示す。
【図１５】図１３〜５６は、本開示の態様による衣服の追加の図および特徴を示す。
【図１６】図１３〜５６は、本開示の態様による衣服の追加の図および特徴を示す。
【図１７】図１３〜５６は、本開示の態様による衣服の追加の図および特徴を示す。
【図１８】図１３〜５６は、本開示の態様による衣服の追加の図および特徴を示す。
【図１９】図１３〜５６は、本開示の態様による衣服の追加の図および特徴を示す。
【図２０】図１３〜５６は、本開示の態様による衣服の追加の図および特徴を示す。
【図２１】図１３〜５６は、本開示の態様による衣服の追加の図および特徴を示す。
【図２２】図１３〜５６は、本開示の態様による衣服の追加の図および特徴を示す。
【図２３】図１３〜５６は、本開示の態様による衣服の追加の図および特徴を示す。
【図２４】図１３〜５６は、本開示の態様による衣服の追加の図および特徴を示す。
【図２５】図１３〜５６は、本開示の態様による衣服の追加の図および特徴を示す。
【図２６】図１３〜５６は、本開示の態様による衣服の追加の図および特徴を示す。
【図２７】図１３〜５６は、本開示の態様による衣服の追加の図および特徴を示す。
【図２８】図１３〜５６は、本開示の態様による衣服の追加の図および特徴を示す。
【図２９】図１３〜５６は、本開示の態様による衣服の追加の図および特徴を示す。
【図３０】図１３〜５６は、本開示の態様による衣服の追加の図および特徴を示す。
【図３１】図１３〜５６は、本開示の態様による衣服の追加の図および特徴を示す。
【図３２】図１３〜５６は、本開示の態様による衣服の追加の図および特徴を示す。
【図３３】図１３〜５６は、本開示の態様による衣服の追加の図および特徴を示す。
【図３４】図１３〜５６は、本開示の態様による衣服の追加の図および特徴を示す。
【図３５】図１３〜５６は、本開示の態様による衣服の追加の図および特徴を示す。
【図３６】図１３〜５６は、本開示の態様による衣服の追加の図および特徴を示す。
【図３７】図１３〜５６は、本開示の態様による衣服の追加の図および特徴を示す。
【図３８】図１３〜５６は、本開示の態様による衣服の追加の図および特徴を示す。
【図３９】図１３〜５６は、本開示の態様による衣服の追加の図および特徴を示す。
【図４０】図１３〜５６は、本開示の態様による衣服の追加の図および特徴を示す。
【図４１】図１３〜５６は、本開示の態様による衣服の追加の図および特徴を示す。
【図４２】図１３〜５６は、本開示の態様による衣服の追加の図および特徴を示す。
【図４３】図１３〜５６は、本開示の態様による衣服の追加の図および特徴を示す。
【図４４】図１３〜５６は、本開示の態様による衣服の追加の図および特徴を示す。
【図４５】図１３〜５６は、本開示の態様による衣服の追加の図および特徴を示す。
【図４６】図１３〜５６は、本開示の態様による衣服の追加の図および特徴を示す。
【図４７】図１３〜５６は、本開示の態様による衣服の追加の図および特徴を示す。
【図４８】図１３〜５６は、本開示の態様による衣服の追加の図および特徴を示す。
【図４９】図１３〜５６は、本開示の態様による衣服の追加の図および特徴を示す。
【図５０】図１３〜５６は、本開示の態様による衣服の追加の図および特徴を示す。
【図５１】図１３〜５６は、本開示の態様による衣服の追加の図および特徴を示す。
【図５２】図１３〜５６は、本開示の態様による衣服の追加の図および特徴を示す。
【図５３】図１３〜５６は、本開示の態様による衣服の追加の図および特徴を示す。
【図５４】図１３〜５６は、本開示の態様による衣服の追加の図および特徴を示す。
【図５５】図１３〜５６は、本開示の態様による衣服の追加の図および特徴を示す。
【図５６】図１３〜５６は、本開示の態様による衣服の追加の図および特徴を示す。
【発明を実施するための形態】
【００２３】
開示の詳細説明
本開示は衣服に関し、特に、病院、診療所、医療施設、または同様の環境の医療機関において使用可能な衣服に関する。いくつかの態様において、衣服は特に、ガウン（例えば、隔離（ｉｓｏｌａｔｉｏｎ）ガウンまたは手術用ガウン）を含み、当該ガウンは、着用者と特定の汚染物質との間に許容可能なバリアを提供する。いくつかの態様において、衣服は、許容可能なバリア機能を依然提供しつつ、容易な着衣／脱衣を提供するように構成されてもよい。本開示はまた、本明細書に記載されているような衣服の製造方法および使用方法に関する。
【００２４】
いくつかの態様において、衣服はガウンを含む。本明細書で使用される用語「ガウン」は、首用開口と、二つの袖と、体前面部分および体後面部分を含む体部分とを含む衣料品を指す。いくつかの態様において、二つの袖および体部分の少なくとも一部分は、一緒にシールされてガウンの全体または一部分を形成する単一の材料片などの、単一のコンポーネントから形成されてもよい。いくつかの態様において、衣服は、１つ以上のクロージングデバイス（ｃｌｏｓｉｎｇ  ｄｅｖｉｃｅ）、および／または１つ以上のパネルなどの、１つ以上の追加のコンポーネントを含んでもよい。本明細書で使用される用語「パネル」は衣服の一部分であって、二つの袖および体部分の少なくとも一部分を形成するために使用される上述のコンポーネントとは別のコンポーネントから形成される衣服の一部分を指す。しかしながら、１つ以上のパネルは、体部分の一部として（例えば、アセンブルされた衣服の体後面部分の一部として）設けられてもよく、および／または、体部分に加えて（例えば、アセンブルされた衣服の体後面部分の少なくとも一部を重ねることによって）設けられてもよいことを理解されたい。
【００２５】
図１は、衣服１１の例示的な正面図を示しており、衣服１１は、体部分１２と、二つの袖１３と、首用開口１４とを有する。袖は、図に示されるように（サムホールを有している）構成されてもよく、または当技術分野で公知のいかなるように構成されてもよい。衣服１１は、ベルトなどのクロージングデバイス１５を更に含んでもよい。図１に示すようなベルトなどのクロージングデバイス１５は、１つ以上の部分またはタイ（ｔｉｅ）を含んでもよく、クロージングデバイスが閉位置にあるときに、クロージングデバイスが着用者に衣服を固定する助けとなり得るよう、その１つ以上の部分またはタイは、開位置および／または閉位置に設けられてもよい。
【００２６】
図２Ａに示すように、衣服は更に１つ以上のパネルを含んでもよい。例えば、図２Ａおよび図２Ｂは、衣服の例示的な後面図と、例示的な正面図の一例をそれぞれ示す。本明細書において、用語「後面」および「前面」が使用されているが、これらの用語は限定を意図していないことを理解されたい（すなわち、衣服の「前面」側が着用者の後面にあるように着用したり、その逆も同様に、衣服を用語とは逆側に着てもよい）。図２Ａに図示されるように、衣服の後面はパネル２１を含んでもよい。本例において、パネル２１は、クロージングデバイス（例えば、ベルト）の第１の部分２２または第１のタイを含むように構成されてもよく、第１の部分２２は、第２の部分２３または第２のタイと相互作用して、クロージングデバイスを閉位置に位置させてもよい。特に、第１の部分２２および第２の部分２３は、共に、締めると着用者に衣服が固定されるのを助けるベルトを形成してもよい。図２Ａに図示されるように、パネル２１は、衣服の体部分に加えて（例えば、固定して）設けられてもよい（すなわち、アセンブルされた衣服の体後面部分２４の少なくとも一部を重ねることにより）。
【００２７】
図３Ａおよび図３Ｂは、本開示による衣服、例えば、図２Ａおよび図２Ｂに示される衣服をアセンブルするための例示的な概念図を示す。図３Ａに示されるように、衣服のアセンブルは、第１のコンポーネント３１を提供することを含んでもよく、アセンブルされると、第１のコンポーネント３１は、衣服の体前面部分３３および体後面部分３７を含む体部分と、首用開口３５と、二つの袖３４とを形成する。図３Ａに示されるように、第１のコンポーネント３１は、１つ以上のスリット３６、例えば、首用開口３５から第１のコンポーネント３１上の、アセンブルされると衣服の体後面部分３７となる位置まで延びるスリットを備えてもよい。一例において、スリット３６は、図３Ａに示されるように、首用開口３５から第１のコンポーネント３１の反対側のエッジまで延びてもよい。他の例においては、スリットは、首用開口３５から、体後面部分３７の所定の点まで部分的に延びてもよい。アセンブルされるとパネルを形成する第２のコンポーネント３２もまた設けられてもよい。
【００２８】
図３Ｂに示されるように、最初に第１のコンポーネント３１を、首用開口３５を二分（ｂｉｓｅｃｔｉｎｇ）する線に沿って折り、第１のコンポーネント３１のエッジを一緒にシールすることにより衣服がアセンブルされ、形成されてもよい。例えば、図４は、アセンブルされた衣服４１の例示的な背面図を示し、第１のコンポーネントのエッジ４２が共にシールされて衣服が形成される。第１のコンポーネントに任意で設けられてよいスリット４３もまた、エッジ４２をシールするために使用されるのと同じタイプのシールを使用してシールされてもよい。しかしながら、代わりに、別のタイプのシールが使用されてもよいことを理解されたい。いくつかの態様において、本明細書に記載されるように、任意で設けられてよいスリット４３全体をシールしてもよく、または任意で設けられてよいスリット４３の一部分のみをシールしてもよい。本明細書に記載される任意で設けられてよいスリット４３のシールされた部分は、プレクローズド構成（ｐｒｅ−ｃｌｏｓｅｄ  ｃｏｎｆｉｇｕｒａｔｉｏｎ）の一例であることを理解されたい。本明細書で使用される用語「プレクローズド構成」は、実質的に開口のない構成を指す。この例においては、任意で設けられてよいスリット４３のシールされた部分は、シールされた部分が実質的に開口を有さないように、シールを介してプレクローズド構成で設けられる。代替的または追加的に、任意で設けられてよいスリット４３の全体または一部分は、１つ以上のファスナを介してプレクローズド構成で設けられてもよい。本開示の有用なファスナの例は、タイ、スナップ、ボタン、ファブリック面ファスナ（ｆａｂｒｉｃ  ｈｏｏｋ  ａｎｄ  ｌｏｏｐ  ｆａｓｔｅｎｅｒ）、ジッパー、バックル、ホック（ｈｏｏｋ  ａｎｄ  ｅｙｅ）、コード、トグル、ブローチ、小穴（ｅｙｅｌｅｔ）、磁石、および／またはそれらの組み合わせを含むが、本発明はこれらに限定されない。追加の実施形態において、第１のコンポーネントを折ることなく、ガウンがアセンブルされてもよい。例えば、ガウンは二つの別個のコンポーネントでアセンブルされ、追加のヒートシールを含んでもよい。
【００２９】
図４に図示されるように、第２のコンポーネント（例えば、図３Ａおよび図３Ｂに図示される第２のコンポーネント３２）を第１のコンポーネントに取り付けて、本明細書で記載されるように、アセンブルされた衣服におけるパネル４４を形成してもよい。例えば、衣服のエッジ４２をシールするために使用されるシールと同じタイプのシールを使用して、例えば、図示されるシール５１に沿って、パネル４４を衣服の体部分に取り付けてもよい。しかしながら、パネルが適切に取り付けられるのであれば、衣服のエッジ４２をシールするために使用されるシールとは異なるタイプのシールを使用してパネル４４を取り付けてもよいことを理解されたい。また、任意で設けられてよいスリット４３のプレクローズド部分５２を設けるために使用されるシールまたはファスナは、パネル４４を衣服の体部分に取り付けるために使用されるシールに揃えてもよく（すなわち、シール５１に沿って）、または、図４の拡大部分４５に示されるように、シールは互いにオフセットされて（ｏｆｆｓｅｔ）（例えば、０．１ｃｍ〜４ｃｍで）、好ましくは、互いにほぼ平行であってもよい。このようにして、衣服が着用者によって着用されると、パネル４４は、任意で設けられてよいスリット４３のシールされていないかまたは開いた（ｏｐｅｎ）部分５３に巻き付けられ、任意に、クロージングデバイス４６により固定され、許容可能なバリア機能を提供してもよい。パネルは、プレクローズド部分５２と重なるように、プレクローズド部分５２の上に取り付けられてもよい。あるいは、パネルは、プレクローズド部分５２と重ならなくてもよい。
【００３０】
図４に図示されるように、アセンブルされた衣服４１は、１つ以上のスリットを更に含んでもよい。例えば、クロージングデバイス４６は、衣服の容易な脱衣、すなわち着用者からの衣服の容易な取り外し（例えば、所望の場合、衣服の他の部分よりも容易に裂ける衣服の点を提供することにより）を提供するように構成される１つ以上のスリット４７を含んでもよい。代替的または追加的に、衣服は、首用開口４９から体前面部分および／または体後面部分の１点、好ましくは体後面部分の１点まで延びる少なくとも１つのノッチ４８を含んでもよい。例えば、図４の拡大部分５０に図示されるように、衣服のアセンブル中にスリット４３のセクションをシールしないまま、および／または開いたままにすることにより、すなわち、スリット４３を首用開口４９までシールせず、および／またはプレクローズしないことによりノッチ４８が設けられてもよい。このように、首用開口４９は、衣服の容易な脱衣を提供するように構成されるノッチ４８を含んでもよい。しかしながら、アセンブルされた衣服に含まれるスリットまたはノッチ（例えば、スリット４７またはノッチ４８）のいずれも、本明細書で詳細に記載されるように、衣服のバリア機能を妨害しないことを理解されたい。追加の実施形態では、ノッチ４８は、スリット、または当技術分野における他の公知の裂け目開始特徴であってもよい。
【００３１】
図１０は、本開示による衣服、例えば図２Ａおよび図２Ｂに図示される衣服をアセンブルするための第２の例示的な概念図を示す。図１０に図示されるように、衣服をアセンブルすることは、ステップ１における第１のコンポーネント１０１を提供することを含んでもよい。ステップ２において、スリット１０２の一部分は、本明細書に記載されるように（例えば、図４を参照）、プレクローズド部分１０３においてシール、および／またはプレクローズドされてもよい。ステップ３において、第２のコンポーネント１０４は、本明細書に記載されるように（例えば、図４参照）、シール１０８に沿って第１のコンポーネント１０１に取り付けられてもよい。ステップ４において、衣服は、第１のコンポーネント１０１を、首用開口１０５を二分する線に沿って折ることによりアセンブルされ、本明細書に記載されるように（例えば、図４参照）側部１０６および／または袖１０７に沿ってシールされてもよい。
【００３２】
図５は、図４および／または図１０に示される衣服が着用者により着用される場合の衣服の例示的な後面図を示す。
【００３３】
図６Ａおよび図６Ｂは、衣服の他の例示的な背面図および例示的な前面図をそれぞれ示す。図２Ａおよび図２Ｂに図示される衣服と同様に、図６Ａおよび図６Ｂに図示される衣服は、体前面部分６１と、体後面部分６８と、２つの袖６２と、首用開口６３とを含んでもよい。衣服は更にクロージングデバイス（例えば、ベルトまたはタイ）を含んでもよく、クロージングデバイスが閉位置に位置するよう、クロージングデバイスの第１の部分６４はクロージングデバイスの第２の部分６５と相互作用してもよい。衣服は、第１のパネル６７および第２のパネル６６を更に含んでもよい。第１のパネル６７および第２のパネル６６は共に、アセンブルされた衣服の体部分の一部、すなわち、体後面部分６８の一部を形成してもよい。
【００３４】
図７Ａおよび７Ｂは、例えば図６Ａおよび６Ｂに図示される衣服などの、本開示による衣服をアセンブルするための例示的な概念図を示す。図３Ａおよび３Ｂに示される概念図と同様に、衣服をアセンブルすることは、第１のコンポーネント７１および第２のコンポーネント７３を提供することを含んでもよい。図７Ａおよび図７Ｂに図示されるように、第２のコンポーネント７３はおおむねに矩形であってもよい。図７Ａおよび７Ｂに示される概念図は、また、第３のコンポーネント７２を提供することを含む。いくつかの態様において、第３のコンポーネント７２はおおむね台形であってもよく、および／またはクロージングデバイス７４の１つ以上の部分を含んでもよい。しかしながら、第２のコンポーネント７３および／または第３のコンポーネントの形状は、必ずしも本明細書で記載した形状である必要はないことを理解されたい。例えば、図１２Ａおよび図１２Ｂに図示されるように、衣服がアセンブルされるときに、第１のコンポーネント１２１および／または第２のコンポーネント１２２は、それぞれのパネルが第１のコンポーネント１２４の任意で設けられてよいスリット１２３の一部分または実質的に全てをにカバーして、スリット１２３のプレクローズド部分が減少および／または除去されるような形状であってもよい。
【００３５】
図７Ｂに図示されるように、最初に、首用開口を二分する線に沿って第１のコンポーネント７１を折ることにより衣服はアセンブルされてもよい。図４と同様に、図８は、アセンブルされた衣服８１の例示的な背面図を示し、第１のコンポーネント（例えば、図７Ａおよび図７Ｂに示される第１のコンポーネント７１）のエッジ８３は共にシールされて、衣服が形成される。代替的または追加的に、衣服は、首用開口から体前面部分のおよび／または体後面部分の１点、好ましくは体後面部分の１点まで延びる少なくとも１つのノッチを含んでもよい。アセンブルされた衣服に図４に図示されるノッチ４８に類似するノッチ８５を設けるために、例えば、第１のコンポーネントに設けられる任意で設けられてよいスリット８４はプレクローズド部分９３に沿ってシールおよび／またはプレクローズドされてもよい。クロージングデバイス８６は、図４に図示されるスリット４７に類似するスリット９２を更に備えてもよい。
【００３６】
図８は図４と少なくともパネルに関して異なることを理解されたい。例えば、図４に図示される衣服は、衣服の体後面部分に取り付けられる１つのパネル４４を備えているのに対し、図８に図示される衣服は、図７Ａおよび図７Ｂにそれぞれ図示される第２のコンポーネント７３および第３のコンポーネント７２を第１のコンポーネント７１に取り付けられることにより形成された第１のパネル８８と第２のパネル８７とを備えてもよい。図８に示されるように、第１のパネル８８および第２のパネル８７自体が、衣服の体部分の一部分、特に、衣服の体後面部分８９を形成してもよい。この例においては、第１のパネル８８を側部９１で衣服の体前面部分（図示せず）に取り付けることにより衣服がアセンブルされてもよい。また、第１のパネル８８は、パネル８８の上部９２で体後面部分８９に取り付けられてもよい。図８に図示されるように、上部９２は、体後面部分８９のエッジ９５よりのわずかに上方（例えば、０．１ｃｍ〜４ｃｍ上方）にあってもよい。クロージングデバイス８６をその上に有する第２のパネル８７の一部分が体後面部分に貼り付けられないように（すなわち、体後面部分８９から（例えば、横方向または角度を有して）突出する）、第２のパネル８７もまた、第１のパネル８８に隣接するパネル８７の上部９２で体後面部分８９に取り付けられてもよい。図４に関連して記載したように、衣服のエッジ８３および／またはスリット８４をシールするために使用されるシールと同じタイプのシールを使用して、第１のパネル８８および／または第２のパネル８７を取り付けて、衣服の体部分を形成してもよい。しかしながら、パネルが適切に取り付けられるのであれば、異なるタイプのシールを使用して第１のパネル８８および第２のパネル８７を取り付けてもよいことを理解されたい。第１のパネルおよび第２のパネルは、プレクローズド部分９３に重なるように、プレクローズド部分９３の上に取り付けられてもよい。あるいは、第１のパネルおよび第２のパネルは、プレクローズド部分９３と重ならなくてもよい。
【００３７】
図１１は、例えば図６Ａおよび６Ｂに図示される衣服をなどの本開示による衣服をアセンブルするための第２の例示的な概念図を示す。図１１に示されるように、衣服をアセンブルすることは、ステップ１において第１のコンポーネント１１１を提供することを含んでもよい。ステップ２において、本明細書に記載されているように（例えば、図８を参照）、スリット１１２の一部分はシール、および／またはプレクローズドされてもよい。ステップ３において、本明細書に記載されるように（例えば、図８を参照）、第２のコンポーネント１１３は、シール１１４に沿って第１のコンポーネント１１１に取り付けられてもよい。ステップ４において、本明細書に記載されるように（例えば、図８を参照）、第３のコンポーネント１１５はシール１１６に沿って第１のコンポーネント１１１に取り付けられてもよい。ステップ５において、首用開口１１７を二分する線に沿って第１のコンポーネントを折ることにより衣服はアセンブルされてもよい。ステップ６において、本明細書に記載されているように（例えば、図８を参照）、衣服は側部１１８および／または袖１１９に沿ってシールされてもよい。
【００３８】
図９は、着用者により着用された場合の図８に示す衣服の例示的な後面図を示す。
【００３９】
いくつかの態様において、衣服のコンポーネントの内の１つ以上は、着用者と特定の汚染物質との間に許容可能なバリアを提供するように構成されてもよい。本明細書中で使用される、用語「汚染物質」は、衣服着用者を汚染する可能性のある環境因子を指し、例としては、流体、病原体、およびそれらの組み合わせが挙げられるが、汚染物質は、これらに限定されない。
【００４０】
本明細書中で使用される用語「許容可能なバリア」とは、所定の基準のバリア機能を提供するバリアを指す。
【００４１】
いくつかの態様において、所定の基準は、医療施設での使用が意図された保護用衣服およびドレープの液体バリア性能および分類に関連する、ＡＡＭＩ（米国医療機器振興協会）ＰＢ７０に従って設定されてもよい。例えば、いくつかの態様において、「許容可能なバリア」は、ＡＡＭＩレベル１の保護を提供し、任意でＡＡＭＩレベル２の保護を提供してもよく、任意でＡＡＭＩレベル３の保護を提供してもよく、任意でＡＡＭＩレベル４の保護を提供してもよい衣服を指してもよい。当業者であれば、ＡＡＭＩレベル１の保護、ＡＡＭＩレベル２の保護、ＡＡＭＩレベル３の保護、およびＡＡＭＩレベル４の保護が何を意味するのか理解しているであろうが、ＡＡＭＩレベル４の保護は、ＡＳＴＭ（米国材料試験協会）Ｆ１６７１（テストシステムとしてφＸ１７４バクテリオファージ浸透を用いた血液媒介病原菌による浸透に対する防護服に使用される材料の抵抗性の標準試験法）に準拠した衣服を指すものと理解されたい。
【００４２】
いくつかの態様において、衣服のコンポーネントの内の１つ以上は、許容可能なバリアを提供するように構成されてもよい。例えば、いくつかの態様において、衣服のコンポーネントの内の１つ以上は、許容可能なバリア機能を提供する材料を含んでもよい。いくつかの態様において、体部分、２つの袖、クロージングデバイス、１つ以上のパネル、またはそれらの組み合わせは、その材料を含んでもよい。本開示による使用に許容可能な材料には、織物、編物、ＳＭＳポリプロピレンなどの不織布、ポリエチレン、スパンボンドポリプロピレン（ｓｐｕｎｂｏｕｎｄ  ｐｏｌｙｐｒｏｐｙｌｅｎｅ）、スパンボンドＳＭＳ（ｓｐｕｎｂｏｕｎｄ  ＳＭＳ）、および／または二成分繊維（例えば、ポリプロピレン／ポリエチレンまたはポリエチレン／ポリエチレンテレフタレートコアおよびシース）のスパンボンド（ｓｐｕｎｂｏｎｄ）の複合材料、中空繊維（ｈｏｌｌｏｗ  ｆｉｂｅｒｓ）を有するＳＭＳ中空繊維を有するスパンボンドポリプロピレン、および／または不織布に熱、超音波、もしくは接着剤によってラミネートされた他のフィルム、およびこれらの組み合わせが含まれるが、これらに限定されず、これらには、Ｈｙｔｒｅｌ（登録商標）熱可塑性エラストマーおよびＡｒｎｉｔｅｌ（登録商標）熱可塑性コポリエステル（ＴＰＣ）などの微孔性フィルムおよび／またはモノリシック通気性フィルム、Ｐｅｂａｘ（登録商標）ポリアミドブロック共重合体、ポリウレタン、ポリエチレン微孔フィルム、および／またはポリプロピレン微孔性フィルムなどの他の通気性モノリシック樹脂、ポリエチレン、ポリプロピレンおよび／またはポリオレフィンなどのモノリシック非通気性フィルム、およびそれらの組み合わせが含まれる。
【００４３】
いくつかの態様において、衣服をアセンブルするために使用されるシールの内の１つ以上は、許容可能なバリア機能を提供するように構成されてもよい。例えば、本明細書に記載されるシールの内の１つ以上は、ヒートシール技術、超音波溶接技術、ＲＦ溶接技術、接着剤の使用、およびそれらの組み合わせなどの線形シール（ｌｉｎｅａｒ  ｓｅａｌｉｎｇ）技術を用いて提供されてもよい。いくつかの態様において、本明細書に記載されるシールの内の１つ以上は、衣服のコンポーネントの内の１つ以上に使用される材料により提供されるバリア機能と少なくとも同じバリア機能を提供してもよい。
【００４４】
いくつかの態様において、衣服の内の１つ以上の部分は、許容可能なバリア機能を提供するように設計されてもよい。例えば、衣服の内の１つ以上の部分は、例えば、汚染物質が許容できないレベルまで衣服を浸透することを可能にして、衣服のバリア機能を損なう可能性のある開口、裂け目（ｇａｐｓ）、ミシン目（ｐｅｒｆｏｒａｔｉｏｎｓ）、穴、および／またはスリットを含まなくてもよい。
【００４５】
いくつかの態様において、衣服は、許容可能なバリア機能を依然提供しながら、容易な着衣／脱衣を提供するように構成されてもよい。例えば、衣服は、着用者から衣服を取り外すこと、すなわち脱衣に役立つ１つ以上の脱衣特徴を含んでもよい。いくつかの態様において、その１つ以上の脱衣特徴は、本明細書に記載されるようなスリットおよび／またはノッチの内の１つ以上を含んでもよく、そのスリットおよび／またはノッチは、衣服の他の部分よりもより容易に裂かれる衣服の点を提供する。このようにして、脱衣が必要な場合には、衣服は容易に裂かれ、除去されてもよい。例えば、本明細書に記載されるノッチは、材料の線形裂け目（ｌｉｎｅａｒ  ｂｒｅａｋ）（例えば、線形切れ目またはスリット）および／または材料の曲げられた裂け目（ａｎｇｌｅｄ  ｂｒｅａｋ）（例えば、「Ｖ字形」切れ目）を含んでもよいことを理解されたい。
【００４６】
例えば、図４に図示される衣服を参照すると、１つ以上の脱衣特徴はスリット４７およびノッチ４８を含んでもよい。脱衣が必要な場合、脱衣特徴から開始して裂け目（ｔｅａｒ）を作ることにより衣服を容易に裂くことができる。しかしながら、代替的にまたは追加的に、衣服の許容可能な部分、例えば、明示的な脱衣特徴を含んでも含まなくてもよい裂けることが可能な材料を含む衣服の部分から始めて、衣服が裂かれてもよいことを理解されたい。裂け目は、例えば、シールの内の１つ以上（例えば、図４に図示されるように、スリット４３のプレクローズド部分５２）に接近してまたは正確に追従してもよい。代替的または追加的に、裂け目は、衣服のミシン目および／またはスコアラインに接近してまたは正確に追従してもよい（例えば、機械的引裂法（ｍｅｃｈａｎｉｃａｌ  ｔｅａｒ  ｍｅｔｈｏｄ））。代替的または追加的に、裂け目は、２つの異なる材料間の境界などの材料境界に、接近してまたは正確に、および／または、例えば裂けることが可能なテープによるなどして、弱められるか、或いは引き裂きを容易にするように構成される裂けることが可能な材料に沿って、接近してまたは正確に追従してもよい（例えば、材料引裂法（ｍａｔｅｒｉａｌ  ｔｅａｒ  ｍｅｔｈｏｄ））。このようにして、使用中の衣服のバリア機能を損なう可能性のある、衣服のいかなる開口、裂け目、ミシン目、穴、および／またはスリットも必要とすることなく、衣服を容易に脱ぐことができる。
【００４７】
いくつかの態様において、脱衣特徴の内の１つ以上は、約２インチ以下の長さ、任意に約１．５インチ以下の長さ、任意に約１インチ以下の長さ、任意に約０．９インチ以下の長さ、任意に約０．８インチ以下の長さ、任意に約０．７インチ以下の長さ、任意に約０．６インチ以下の長さ、任意に約０．５インチ以下の長さ、任意に約０．４インチ以下の長さ、任意に約０．３インチ以下長さ、任意に約０．２インチ以下の長さ、任意に約０．１インチ以下の長さを有していてもよい。
【００４８】
いくつかの態様において、衣服は、容易な着衣、すなわち着用者に衣服を着せることを提供するように構成されてもよい。例えば、衣服が着用者に着用されと、例えば、たとえクロージングデバイスが固定されていなくても、直ちにバリア機能を提供するように衣服は構成されてもよい。ある特定の例において、緊急事態下において、衣服が着用者の頭を超えてのみあるとしても（すなわち、クロージングデバイス無しで、および／または衣服の後面部分が閉じることおよび／または固定されること無しで、着用者の首が、首用開口を通っているとしても）、衣服の前面部分が許容可能なバリア機能を提供し得る。
【００４９】
いくつかの態様において、衣服は、例えば、衣服に滅菌処理を行うことにより滅菌されてもよい。衣服は、衣服のアセンブリプロセスの前に、および／または衣服のアセンブリプロセスの後に、および／またはそれらの間の時点で、滅菌（例えば、滅菌処理を受ける）されてもよいことを理解されたい。
【００５０】
本開示はまた、本明細書に記載されているような衣服の製造方法および使用方法に関する。例えば、外科手術、化学療法治療、またはバリア機能が必要とされる医療処置中などの医療処置中に着用者を保護するために、上記衣服を使用されてもよい。本開示はまた、本明細書に記載されている衣服を脱衣する方法にも関する。例えば、その方法は、脱衣特徴の内の１つ以上から始まる裂け目を作製し、その後、着用者から衣服を取り外すことを含んでもよい。本開示はまた、衣服を着衣する方法にも関する。
【００５１】
本明細書に記載される態様は、上記に概説された例示的な態様と併せて説明されてきたが、様々な代替物、改変物、変形物、改良物、および／または実質的な均等物は、既知であるか、現在予見されていないか、または現在予見されていない可能性があるかにかかわらず、少なくとも当業者に明らかになるであろう。従って、上記に記載された例示的な態様は例示的であることを意図しており、本発明を限定するものではない。開示の精神および範囲から逸脱することなく、様々な変更を行うことができる。従って、本開示は、全ての既知のまたは後に開発される代替物、改変物、変形物、改良物、および／または実質的な均等物を包含することを意図している。
【００５２】
従って、請求項の範囲は、本明細書に記載される態様に限定されることは意図されておらず、請求項の文言と一致する全範囲が認められるべきであり、単数形の要素への言及は、具体的に記載されない限り「１つ、およびたった１つの」を意味することは意図されず、むしろ「１以上（ｏｎｅ  ｏｒ  ｍｏｒｅ）」を意味することが意図されている。当業者に知られているか、または後に知られるようになる、本開示全体を通して記載される様々な態様の要素の全ての構造的および機能的均等物は、本明細書に参照により明示的に組み入れられ、特許請求の範囲に包含されることが意図される。更に、本明細書に開示されているものは、そのような開示が特許請求の範囲に明示的に記載されているかどうかにかかわらず、公衆に提供されることを意図していない。クレームの構成要素は、その構成要素が「ための手段（ｍｅａｎｓ  ｆｏｒ）」という語句を用いて明示的に記載されていない限り、ミーンズ・プラス・ファンクションとして解釈されるべきではない。
【００５３】
また、本明細書で使用される「例」という用語は、「例、実例、または図示を挙げる」という意味で使用される。本明細書において「例」として記載されるいずれの態様も、必ずしも他の態様よりも好ましいまたは有利であると解釈される必要はない。特に明記しない限り、用語「いくつか（ｓｏｍｅ）」は、１以上（ｏｎｅ  ｏｒ  ｍｏｒｅ）を指す。「Ａ、Ｂ、またはＣの内の少なくとも１つ」、「Ａ、Ｂ、およびＣの内の少なくとも１つ」および「Ａ、Ｂ、Ｃまたはそれらの組合せ」のような組合せは、Ａ、Ｂおよび／またはＣのいかなる組合せをも含み、複数の（ｍｕｌｔｉｐｌｅ  ｏｆ）Ａ、複数のＢ、または複数のＣを含んでもよい。具体的には、「Ａ、Ｂ、またはＣの内の少なくとも１つ」、「Ａ、Ｂ、およびＣの内の少なくとも１つ」および「Ａ、Ｂ、Ｃまたはそれらの組合せ」のような組合せは、Ａのみ、Ｂのみ、Ｃのみ、ＡおよびＢ、ＡおよびＣ、ＢおよびＣ、またはＡおよびＢおよびＣであってもよく、そのような組合せはいずれも、Ａ、Ｂ、またはＣの内の１つ以上の要素または複数の要素を含んでもよい。本明細書に開示されているものは、そのような開示が特許請求の範囲に明示的に記載されているかどうかにかかわらず、公衆に提供されることを意図するものではない。
【００５４】
本明細書で使用される「約」という語は、記載された値の±５％以内を意味し、任意に±４％以内、任意に±３％以内、任意に±２％以内、任意に±１％以内、任意に±０．５％以内、任意に±０．１％以内、および任意に±０．０１％以内を意味してよい。
【００５５】
以下の実施例は、当業者に本発明における製造方法および使用方法の完全な開示および説明を提供するために記載されており、本発明の発明者が自分の発明とみなすものの範囲を限定することを意図するものではなく、また、以下に記載される実験が実施されるすべてまたは唯一の実験であることを表すことを意図するものでもない。使用される数（例えば、量、寸法など）の正確性を確保する努力がなされてきたが、いくつかの実験上の誤差および偏差は考慮されるべきである。
【実施例】
【００５６】
以下は、ＡＳＴＭ  Ｆ１６７１に基づき、汚染物質、特に血液媒介病原菌の危険からの保護のための衣服のバリア機能を評価するために実施される試験の実施例である。本試験を実施するために、試験対象の衣服（またはその一部分）は最低２４時間の間、２１±５℃で、相対湿度（ＲＨ）３０％〜８０％でコンディショニングされ、次いで、φＸ１７４バクテリオファージ懸濁液を用いてウイルス浸透について試験される。試験対象の衣服の部分は、袖と、体部分と、クロージングデバイスと、パネルと、それらの部分およびそれらの組合せを含む、いかなる部分であってもよい。試験の最後に、試験対象の衣服の観察された側部（またはその一部分）を滅菌培地ですすがれ、φＸ１７４バクテリオファージの存在について分析される。次いで、φＸ１７４バクテリオファージの試験前濃度（ＰＦＵ／ｍＬ）および試験後濃度（ＰＦＵ／ｍＬ）、ならびにアッセイ力価（ａｓｓａｙ  ｔｉｔｅｒ）（ＰＦＵ／ｍＬ）が計算される。このデータは、目視浸透検査とともに、テスト結果が合格、不合格、または許容範囲のいずれであるかを決定するために使用される。
【図１】
2021523308.tif 000003
【図２Ａ】
2021523308.tif 000004
【図２Ｂ】
2021523308.tif 000005
【図３Ａ】
2021523308.tif 000006
【図３Ｂ】
2021523308.tif 000007
【図４】
2021523308.tif 000008
【図５】
2021523308.tif 000009
【図６Ａ】
2021523308.tif 000010
【図６Ｂ】
2021523308.tif 000011
【図７Ａ】
2021523308.tif 000012
【図７Ｂ】
2021523308.tif 000013
【図８】
2021523308.tif 000014
【図９】
2021523308.tif 000015
【図１０】
2021523308.tif 000016
【図１１】
2021523308.tif 000017
【図１２Ａ】
2021523308.tif 000018
【図１２Ｂ】
2021523308.tif 000019
【図１３】
2021523308.tif 000020
【図１４】
2021523308.tif 000021
【図１５】
2021523308.tif 000022
【図１６】
2021523308.tif 000023
【図１７】
2021523308.tif 000024
【図１８】
2021523308.tif 000025
【図１９】
2021523308.tif 000026
【図２０】
2021523308.tif 000027
【図２１】
2021523308.tif 000028
【図２２】
2021523308.tif 000029
【図２３】
2021523308.tif 000030
【図２４】
2021523308.tif 000031
【図２５】
2021523308.tif 000032
【図２６】
2021523308.tif 000033
【図２７】
2021523308.tif 000034
【図２８】
2021523308.tif 000035
【図２９】
2021523308.tif 000036
【図３０】
2021523308.tif 000037
【図３１】
2021523308.tif 000038
【図３２】
2021523308.tif 000039
【図３３】
2021523308.tif 000040
【図３４】
2021523308.tif 000041
【図３５】
2021523308.tif 000042
【図３６】
2021523308.tif 000043
【図３７】
2021523308.tif 000044
【図３８】
2021523308.tif 000045
【図３９】
2021523308.tif 000046
【図４０】
2021523308.tif 000047
【図４１】
2021523308.tif 000048
【図４２】
2021523308.tif 000049
【図４３】
2021523308.tif 000050
【図４４】
2021523308.tif 000051
【図４５】
2021523308.tif 000052
【図４６】
2021523308.tif 000053
【図４７】
2021523308.tif 000054
【図４８】
2021523308.tif 000055
【図４９】
2021523308.tif 000056
【図５０】
2021523308.tif 000057
【図５１】
2021523308.tif 000058
【図５２】
2021523308.tif 000059
【図５３】
2021523308.tif 000060
【図５４】
2021523308.tif 000061
【図５５】
2021523308.tif 000062
【図５６】
2021523308.tif 000063
【国際調査報告】
2021523308.tif 000064
2021523308.tif 000065